(57)【要約】  本発明は、ビーズ吐出用ポンプ容器に関し、チェックバルブの構造とピストンロッドの構造及び、ピストンロッドとシールキャップの離間間隔などを変更して、ポンプ構造を設計することにより、チェックバルブを具備したシリンダータイプのポンプ構造において、ビーズ内容物を破らないで容易く吐出することができる。
2020513959.tif 000002
【特許請求の範囲】
【請求項１】
液状内容物及び、ビーズ内容物を貯蔵する容器本体と、
前記容器本体の上部に位置してポンピング作動によって、前記容器本体に貯蔵した前記液状内容物及び、
ビーズ内容物を吐出するポンピング部材と、
前記ポンピング部材の上部に結合して、ユーザーの加圧可否によって、前記ポンピング部材のポンピング作動を誘導するボタン部を含むビーズ吐出用ポンプ容器において、
前記ポンピング部材は、下段中央に内容物吸入ホールが形成されるシリンダーと、
前記シリンダーの内側に設置されて、前記内容物吸入ホールを開閉するチェックバルブと、
一方向は前記ボタン部内側に結合し、他方向は、前記シリンダーの内側に位置して前記ボタン部の加圧可否によって、昇降されるステムと、
前記ステムの下部に結合し、下部外周面に内容物流入ホールが形成され、
上段には、内容物流出ホールが形成されるピストンロッドと、
前記ピストンロッドの下部で前記ピストンロッドの外周面を包んで結合して、前記内容物流入ホールを開閉し、前記シリンダーの内壁に密着した状態で移動するシールキャップを含み、
前記チェックバルブは、前記内容物吸入ホールを開栓の時に、前記内容物吸入ホールから
離間される空間（S1）がビーズ内容物の大きさと同一か、大きく形成され、
前記ピストンロッドの前記内容物流入ホールは、前記内容物流出ホールより小さく形成され、
ビーズ内容物の直径よりは2倍以上大きく形成され、
前記ポンピング部材のポンピング作動が行われない状態で前記シールキャップの上段から
前記ステムの停止部が離間された空間（S2）の大きさは、ビーズ内容物の直径よりも大きく形成されることを特徴とするビーズ吐出用ポンプ容器。
【請求項２】
前記チェックバルブは、バルブ本体と、
前記バルブ本体の中央部に延長し形成され、前記内容物吸入ホールを開閉する開閉板と、
前記バルブ本体の内周面から延長されて、前記開閉板を支持する多数の支持台で構成され、
前記支持台の長さは下の数学式に基づいて計算されることを特徴とする請求項1に記載の
ビーズ吐出用ポンプ容器。
c2 = a2 + b2
（a：開閉板の長さ、b:開閉板の上昇高さ（ビーズ内容物の直径）、c：支持台の長さ）
【請求項３】
前記ビーズ内容物は、前記液状内容物の30％未満で混合されることを
特徴とする請求項1に記載のビーズ吐出用ポンプ容器。
【発明の詳細な説明】
【技術分野】
【０００１】
本発明は、ビーズ吐出用ポンプ容器に関し、より詳細には、チェックバルブの
構造とピストンロッドの構造及び、ピストンロッドとシールキャップの離間間隔などを変更して、
ポンプ構造を設計することにより、チェックバルブを具備したシリンダータイプのポンプ構造
において、ビーズ内容物を破らないで容易く吐出することができるビーズ吐出用
ポンプ容器に関する。
【背景技術】
【０００２】
一般的にシワ防止用や老化防止用などのような機能性化粧品の中には、主になる
ベース成分に他の成分に成ったカプセルが含まれた粒型タイプ化粧品がある。
このような粒型タイプの化粧品は、ビタミンAやビタミンCのように一緒に存在しにくい成分を混合してなければならない場合や、混合されて存在すると変質する可能性がある
成分を混合しなければならない場合に、特定成分をカプセルに含有してベース成分に
混合したものである。
【０００３】
前記のように粒型タイプの内容物を具備した容器が大韓民国登録実用新案
第20-0180852号（以下、「特許文献1」とする。）に開示されている。
【０００４】
前記特許文献1は、粒型の内容物を収容する筒と、前記筒の入口部に
付着され、前記内容物を排出するためのポンプと、ノズルを有するヘッドと、前記
筒から前記ポンプと前記ヘッドを経て外部に連結される排出通路を具備した
容器において、前記通路に前記粒型の内容物を粉砕するための網を
設置したことが特徴である。
【０００５】
前記特許文献1は、内容物の吐出の時に粒型化粧品が網を通過し
破れ、主成分と混合されて吐出するように構成され、内容物吐出過程で
粒型化粧品が破れて混合が行われたのか、それとも、粒型
化粧品が破れた状態で、主成分と混合されていて吐出されるのかについて
ユーザーが確認することができないため、内容物変質の憂慮によって製品の効能に対する
信頼性が落ちるという問題があった。
【０００６】
一方、前記特許文献1のように、ポンプのポンピング作動によって粒型化粧品を
吐出する場合に、粒形化粧品がポンプのシリンダー内部に設置されたボールバルブ等の
チェックバルブを通過し、一部が破れる現象が発生する。これにより、
製品の効能に対する信頼性が落ちるだけでなく、破れた粒がポンプに
積もってポンプの故障を誘発する問題があった。
【０００７】
前記のような問題点を解消するために、容易く破れない粒型
化粧品を貯蔵して、粒型化粧品を吐出する構造が提案されたものの、
ポンプのポンピング作動の時に、粒形化粧品がチェックバルブ、ピストンロッドなどに
挟まる現象によってポンピング作動が円滑に行われなくて、チェックバルブを具備したシリンダータイプのポンプ構造には適用することができない問題があった。
【０００８】
従って、ユーザーが粒型化粧品を直接肉眼で確認し主成分と
混合して使用することができるように粒型化粧品を破れない状態で
吐出させることができるチェックバルブを具備したシリンダータイプのポンプ構造が
要求されている。
【発明の概要】
【発明が解決しようとする課題】
【０００９】
本発明は、上述した問題点を解決するために考案されたものとして、本発明の目的は、
チェックバルブの構造とピストンロッドの構造及び、ピストンロッドとシールキャップの離間
間隔などを変更して、ポンプ構造を設計することにより、チェックバルブを具備したシリンダータイプのポンプ構造において、ビーズ内容物を破れないで容易く吐出することができる
ビーズ吐出用ポンプ容器を提供することである。
【課題を解決するための手段】
【００１０】
前記のような問題点を解決するために、本発明に係るビーズ吐出用ポンプ
容器は、液状内容物及び、ビーズ内容物を貯蔵する容器本体と、前記容器本体の
上部に位置してポンピング作動によって容器本体に貯蔵した液状内容物とビーズ
内容物を吐出するポンピング部材と、前記ポンピング部材の上部に結合して、ユーザーの
加圧可否によって、ポンピング部材のポンピング作動を誘導するボタン部を含むビーズ
吐出用ポンプ容器において、
【００１１】
前記ポンピング部材は、下段中央下に内容物吸入ホールが形成されるシリンダーと、前記
シリンダーの内側に設置されて、前記内容物の吸入ホールを開閉するチェックバルブと、一方向はボタン部の内側に結合し、他方向はシリンダーの内側に位置して、ボタン部の
加圧可否によって、昇降するステムと、前記ステムの下部に結合し、下部
外周面に内容物流入ホールが形成され、上段には、内容物流出ホールが形成される
ピストンロッドと、前記ピストンロッドの下部でピストンロッドの外周面を包んで
結合して、前記内容物流入ホールを開閉し、シリンダーの内壁に密着した状態で
移動するシールキャップを含み、
【００１２】
前記チェックバルブは、前記内容物吸入ホールを開栓の時に、前記内容物吸入ホールから
離間される空間（S1）がビーズ内容物の大きさと同じか、大きく形成され、前記
ピストンロッドの内容物流入ホールは、内容物流出ホールより小さく形成され、ビーズ
内容物の直径よりは2倍以上大きく形成され、前記ポンピング部材のポンピング作動が
行われない状態でシールキャップの上段からステムの停止部が離間された
空間（S2）の大きさは、ビーズ内容物の直径よりも大きく形成されることを特徴とする。
【００１３】
また、前記チェックバルブは、バルブ本体と、前記バルブ本体の中央部に延長し形成され、
前記内容物吸入ホールを開閉する開閉板と、前記バルブ本体の内周面から
延長されて、前記開閉板を支持する多数の支持台で構成され、前記支持台の
長さは、以下の式によって計算されることを特徴とする。
【００１４】
c2 = a2 + b2 
【００１５】
（a：開閉板の長さ、b: 開閉板の上昇高さ（ビーズ内容物の直径）、c：支持台の長さ）
【００１６】
また、前記ビーズ内容物は、液状内容物の30％未満で混合されることを
特徴とする。
【発明の効果】
【００１７】
以上のように、本発明によれば、チェックバルブの構造とピストンロッドの
構造および、ピストンロッドとシールキャップの離間間隔などを変更して、ポンプ構造を
設計することにより、チェックバルブを具備したシリンダータイプのポンプ構造において、
ビーズ内容物を破らないで容易く吐出することができる長所がある。
【図面の簡単な説明】
【００１８】
【図１】本発明の好ましい実施例に係るビーズ吐出用ポンプ容器のステムの係止部とシールキャップ上段の離間空間を示す説明図である。
【図２】本発明の好ましい実施例に係るビーズ吐出用ポンプ容器のピストンロッド下降による内容物流入ホールの開栓状態を示す説明図である。
【図３】本発明の好ましい実施例に係るビーズ吐出用ポンプ容器のピストンロッドの内容物流入ホールの大きさを示す説明図である。
【図４】本発明の好ましい実施例によるビーズ吐出用ポンプ容器のチェックバルブの構造を示す説明図である。
【図５】本発明の好ましい実施例に係るビーズ吐出用ポンプ容器の内容物吐出過程を示す説明図である。
【発明を実施するための形態】
【００１９】
以下、図面を参照して本発明を詳細に説明する。各図面に提示された
同一の参照符号は、同一の部材を示す。
【００２０】
図1は、本発明の好ましい実施例に係るビーズ吐出用ポンプ容器のステムの
係止部とシールキャップ上段の離間空間を示す説明図であり、図2は、本発明の好ましい
実施例に係るビーズ吐出用ポンプ容器のピストンロッド降下による内容物
流入ホールの開栓状態を示す説明図である。
【００２１】
図3は、本発明の好ましい実施例に係るビーズ吐出用ポンプ容器の
ピストンロッドの内容物流入ホールの大きさを示す説明図であり、図4は、本発明の
好ましい実施例に係るビーズ吐出用ポンプ容器のチェックバルブの構造を示す
説明図であり、図5は、本発明の好ましい実施例に係るビーズ吐出用ポンプ容器の
内容物吐出過程を示す説明図である。
【００２２】
【００２３】
図1〜5を参照すると、本発明の好ましい実施例に係るビーズ吐出用ポンプ
容器は、容器本体（100）、ポンピング部材（200）、ボタン部（300）が含まれる。
【００２４】
前記容器本体（100）は、液状内容物（Ml）及び、ビーズ内容物（M2）を貯蔵するものとして、前記ビーズ内容物（M2）は、主に顔または体の角質除去のために
使用される1mm内外大きさの粒形態で成される。
【００２５】
前記ビーズ内容物（M2）の比重が高くなると、ポンピング部材（200）のポンピング作動が
円滑に行われなくて、内容物吐出が容易くなくなる。よって、ビーズ
内容物（M2）は、液状内容物（Ml）の30％未満で混合するのが好ましい。
【００２６】
【００２７】
前記ポンピング部材（200）は、前記容器本体（100）の上部に位置して、ポンピング作動に
よって容器本体（100）に貯蔵した液状内容物（Ml）及び、ビーズ内容物（M2）を外部に吐出するものとして、下段中央に内容物吸入ホール（211）が形成される
シリンダー（210）と、前記シリンダー（210）の内側に設置されて、前記内容物吸入ホール（211）を開閉するチェックバルブ（220）と、一方向はボタン部（300）の内側に結合し、他方向は
シリンダー（210）の内側に位置して、ボタン部（300）の加圧可否によって、昇降する
ステム（230）と、前記ステム（230）の下部に結合し、下部外周面に内容物
流入ホール（241）が形成され、上段には、内容物流出ホール（242）が形成される
ピストンロッド（240）と、前記ピストンロッド（240）の下部でピストンロッド（240）の
外周面を包んで結合して、前記内容物流入ホール（241）を開閉し、シリンダー（210）の
内壁に密着した状態で移動するシールキャップ（250）を含む。
【００２８】
本発明において、前記ポンピング部材（200）は、ビーズ内容物（M2）が粉砕されなくて、
吐出することができるように構成されることが特徴として、図1及び2に示すように、
ポンピング部材（200）のポンピング作動が行われない状態、つまり、ボタン部（300）の加圧が
行われない状態で、ステム（230）の停止部（231）がシールキャップ（250）の
上段から離間された状態で位置する。このとき、ボタン部（300）を加圧すると、
ステム（230）の停止部（231）がシールキャップ（250）の上段から離間された空間（S2）の
高さほど、ピストンロッド（240）が下降することによって、シールキャップ（250）から離間され、ピストンロッド（240）の内容物流入ホール（241）の開栓が行われる。
【００２９】
前記のように、ピストンロッド（240）の内容物流入ホール（241）が開栓されると、内容物
流入ホール（241）を介して、ビーズ内容物（M2）が流入する。このとき、シールキャップ（250）とピストンロッド（240）の離間空間を介してビーズ内容物（M2）の流入の時にビーズ
内容物（M2）が粉砕されることを防止するようにステム（230）の停止部（231）が
シールキャップ（250）の上段から離間された空間（S2）の大きさは、ビーズ内容物（M2）の
直径よりも大きく形成されることが好ましい。
【００３０】
一方、前記ピストンロッド（240）の内容物流入ホール（241）は、大きさがビーズ
内容物（M2）一つの大きさと同一か、若干大きい場合には、ビーズ内容物（M2）の自然な
流入が行われなくなって不規則にポンピング作動が行われる。よって、
前記内容物流入ホール（241）は、図3に示すように、ビーズ内容物（M2）の流入の時に
円滑な流入ができるように、ビーズ内容物（M2）の直径よりは2倍以上大きく
形成されることが好ましい。
【００３１】
前記内容物流入ホール（241）は、大きさが大きく形成されるほどビーズ内容物（M2）の
円滑な流入が行われ、ポンピング部材の誤作動を防止することができるのに、
ポンピング部材（200）の構造上内容物流出ホール（242）よりは小さく形成されなければならない。
【００３２】
【００３３】
一方、前記チェックバルブ（220）は、シリンダー（210）の内側下段に停止して
チェックバルブ（220）をシリンダー（210）に固定させるバルブ本体（221）と、多数の
支持台（223）を介して、前記バルブ本体（221）の中央部に延長し形成され、内容物
吸入ホール（211）を開閉する開閉板（222）と、前記バルブ本体（221）の内周面から
延長されて、前記開閉板（222）を支持する多数の支持台（223）で構成されるのに、
図4に示すように、前記チェックバルブ（220）は、開閉板（222）が上昇して内容物
吸入ホール（211）を開栓の時にビーズ内容物（M2）が粉砕されなくて、円滑な移動が
できるように内容物吸入ホール（211）から離間される空間（S1）がビーズ内容物（M2）の大きさと同一とか、大きく形成されることが好ましい。
【００３４】
このとき、前記支持台（223）の長さが長いほど、開閉板（222）の上昇高さが高くなって、
ビーズ内容物（M2）の円滑な移動が可能になるのに、支持台（223）の長さは、
下の数学式1に基づいて計算される。
（数1）
【００３５】
c2 = a2 + b2 
【００３６】
（a：開閉板の長さ、b：開閉板の上昇高さ（ビーズ内容物の直径）、c：支持台の長さ）
【００３７】
【００３８】
前記数学式（1）で開閉板（222）の上昇高さbは、ビーズ内容物（M2）の直径の
大きさを代入することができる。これによって、ビーズ内容物（M2）の大きさに応じてビーズ
内容物（M2）の円滑な吐出ができる支持台（223）の長さを決定して使用することができる。
【００３９】
【００４０】
前記ボタン部（300）は、前記ポンピング部材（200）の上部に結合して、ユーザーの加圧可否によってポンピング部材（200）のポンピング作動を誘導するものとして、一方向には内容物の
吐出ができるように内容物吐出ホール（310）が形成される。
【００４１】
【００４２】
一方、図5に示すように、シリンダー（210）に液状内容物（Ml）及び、ビーズ内容物（M2）を貯蔵した状態で、ボタン部（300）を加圧すると、シールキャップ（250）は、
固定された状態で、ピストンロッド（240）が下降することにより、シールキャップ（250）から離間され、ピストンロッド（240）の内容物流入ホール（241）が開栓される。これにより、液状
内容物（Ml）及び、ビーズ内容物（M2）が内容物流入ホール（241）を経て、内容物吐出ホール（310）を介して外部に吐出する。このとき、チェックバルブ（220）の
開閉板（222）は、内容物吸入ホール（211）の閉栓状態を維持するように構成される。
【００４３】
また、ボタン部（300）の加圧を解除すると、ピストンロッド（240）が上昇することにより、
シールキャップ（250）と密着され、ピストンロッド（240）の内容物流入ホール（241）が閉栓される。
この時、シリンダー（210）内部の圧力変化によって、チェックバルブ（220）の開閉板（222）が
上昇し、内容物吸入ホール（211）を開栓することにより、容器本体（100）に貯蔵した液状
内容物（Ml）及び、ビーズ内容物（M2）がシリンダー（210）の内部に流入する。
【００４４】
【００４５】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2020513959.tif 000003
【図２】
2020513959.tif 000004
【図３】
2020513959.tif 000005
【図４】
2020513959.tif 000006
【図５】
2020513959.tif 000007
【国際調査報告】
2020513959.tif 000008
2020513959.tif 000009
2020513959.tif 000010
2020513959.tif 000011